(57)【特許請求の範囲】
【請求項１】
アルミ等のさびない金属製の基台１２に間隙部ａを設けてプラスチック等の合成樹脂製の立設柱１，１の２本を並べて着脱自在に立設し、更に立設柱１，１の夫々に上下に昇降着脱できるように２本の塩化ビニール等の合成樹脂製の外筒２，２を外嵌し、又更に２本の外筒２，２の頭部１３，１３で相対した内面に傾斜滑面１４，１４を設けて形成した救命索巻取り体１５と、
救命索巻取り体１５を介して重積８の字状に巻き取った救命索３を収納する収納部９を内部に設けると共に外面に救命索３の終端部４を入れるポケット部１０を備えた救命索収納ケース８とより成ることを特徴とする救命索巻取り装置。
【発明の詳細な説明】
【０００１】
【産業上の利用分野】
この発明は人命救助に使用する救命索の巻取りを容易迅速に行うことができると共に救命索が絡むことなく円滑に長く延ばすことができるように格納保管することができる救命索巻取り装置に関するものである。
【０００２】
【従来の技術】
従来より人命救助に使用する救命索の先端を救命索発射器等の手段を介して約１５０メートル乃至２００メートル位又はそれ以上の遠方に延ばして必要な箇所に救命索を架設し、その救命索の使用後は巻取って格納保管することについては知られている。
【０００３】
【発明が解決しようとする問題点】
ところが従来より知られている人命救助に使用する救命索の先端を救命索発射器等の手段を介して約１５０メートル乃至２００メートル位又はそれ以上の遠方に延ばして必要な箇所に救命索を架設し、その救命索の使用後は巻取って格納保管することについては、巻取った救命索か絡んでもつれると遠方まで延ばす操作に抵抗が多く、切れやすく遠方まで延ばす作業が簡便に出来ないもので救命索の格納保管のしかたがむずかしいものである。即ち格納保管に際してもつれが生じないようにするために巻取りを容易迅速に行うことができず、更に遠方まで延ばす操作を行う使用時に救命索が絡んでもつれていると円滑に長く延ばすことができないもので使用上不便である等の欠点があった。
【０００４】
この発明は上記の問題点を解決したもので、極めて簡単な手段で人命救助に使用する救命索の巻取りを容易迅速に行うことができると共に巻取りの際に救命索が絡んでもつれることなく使用時に円滑に長く延ばすことができるように格納保管することができ、更に使用場所への携帯移動が容易にできて使用便利で使い勝手が良く極めて取扱いが好適である救命索巻取り装置を得ることを目的としたものである。
【０００５】
【問題点を解決するための手段】
上記の目的を達成するためにこの発明は、アルミ等のさびない金属製の基台１２に間隙部ａを設けてプラスチック等の合成樹脂製の立設柱１，１の２本を並べて着脱自在に立設し、更に立設柱１，１の夫々に上下に昇降着脱できるように２本の塩化ビニール等の合成樹脂製の外筒２，２を外嵌し、又更に２本の外筒２，２の頭部１３，１３で相対した内面に傾斜滑面１４，１４を設けて形成した救命索巻取り体１５と、救命索巻取り体１５を介して重積８の字状に巻き取った救命索３を収納する収納部９を内部に設けると共に外面に救命索３の終端部４を入れるポケット部１０を備えた救命索収納ケース８とより成るものである。
【０００６】
【実施例】
以下図面についてこの発明の実施例を説明すると、間隙部ａを設けて２本を並べて立設した立設柱１，１の夫々に上下に着脱できる２本の外筒２，２を外嵌し、次に救命索３の終端部４から非巻取り索部５を残して立設した２本の外筒２，２に８の字状に救命索３を緩く巻き付けて８の字状巻取り部６を形成すると共に８の字状巻取り部６を外筒２，２の下方より上方に亘り積み重ねて外筒２，２に巻き付けた重積８の字状巻取り部７を形成し、次に重積８の字状巻取り部７と共に２本の外筒２，２を持ち上げて立設柱１，１より２本の外筒２，２を同時に上方に抜取り、次に重積８の字状巻取り部７を巻き付けた２本の外筒２，２を立てた状態で救命索収納ケース８の収納部９内に入れると共に終端部４を救命索収納ケース８の外面に設けたポケット部１０に入れ、次に重積８の字状巻取り部７より２本の外筒２，２を上方に抜取り、救命索収納ケース８の収納部９内に収納８の字状巻取り部１１が収納されるようにしたものである（図１乃至図７参照）。
【０００７】
又、救命索収納ケース８の収納部９内に収納８の字状巻取り部１１が収納された後に更に収納８の字状巻取り部１１と連続した状態で巻取りが終わっていない連続した残りの救命索３は前記と同じ手段によって巻き取って救命索収納ケース８の収納部９内に順次形成した収納８の字状巻取り部１１を重ねて収納することによって長い救命索３が絡まないように救命索収納ケース８の収納部９内に収納するものであり、救命索３を巻取る救命索巻取り体１５と巻取った救命索３を収納保管する救命索収納ケース８より成るものである（図１乃至図８参照）。
【０００８】
又、救命索巻取り体１５は、アルミ等のさびない金属製の基台１２に間隙部ａを設けてプラスチック等の合成樹脂製の立設柱１，１の２本を並べて着脱自在に立設すると共にプラスチック等の合成樹脂製の立設柱１，１の下端に設けた螺杆１６，１６を基台１２に設けた螺孔１７，１７に螺着して基台１２に螺杆１６，１６を着脱自在に立設するものであり、更にプラスチック等の合成樹脂製の立設柱１，１の夫々に上下に昇降着脱できるように２本の塩化ビニール等の合成樹脂製の外筒２，２を外嵌し、又更に２本の塩化ビニール等の合成樹脂製の外筒２，２の頭部１３，１３で相対した内面に傾斜滑面１４，１４を設けて形成したもので分解して必要な場所に携帯移動が出来るものである（図１乃至図３参照）。
【０００９】
又、救命索巻取り体１５を介して巻き取った救命索３である重積８の字状巻取り部７を外筒２，２と共に入れ、更に外筒２，２を抜き取って収納８の字状巻取り部１１のみを収納する収納部９を内部に設けると共に外面に救命索３の張設作業時に救命索３の全体が飛ばないように適宜のものに止める輪形状とした終端部４を入れるポケット部１０を備えた救命索収納ケース８を形成したものである  （図１乃至図３、図６、図７参照）。
【００１０】
【発明の作用効果】
この発明は以上のような構成であり、人命救助に使用する救命索の巻取りを容易に行うことができるもので救命索が絡むことなく円滑に長く延ばすことができるように格納保管することができるものであって救命索の巻取りは間隙部ａを設けて２本を並べて立設した立設柱１，１の夫々に上下に着脱できる２本の外筒２，２を外嵌し、次に救命索３の終端部４から非巻取り索部５を残して立設した２本の外筒２，２に８の字状に救命索３を緩く巻き付けて８の字状巻取り部６を形成すると共に８の字状巻取り部６を外筒２，２の下方より上方に亘り積み重ねて外筒２，２に巻き付けた重積８の字状巻取り部７を形成し、次に重積８の字状巻取り部７と共に２本の外筒２，２を持ち上げて立設柱１，１より２本の外筒２，２を同時に上方に抜取り、次に重積８の字状巻取り部７を巻き付けた２本の外筒２，２を立てた状態で救命索収納ケース８の収納部９内に入れると共に終端部４を救命索収納ケース８の外面に設けたポケット部１０に入れ、次に重積８の字状巻取り部７より２本の外筒２，２を上方に抜取り、救命索収納ケース８の収納部９内に収納８の字状巻取り部１１が収納されるようにすることで救命索３がヨジレることなく救命索発射器等を用いて救命索３の先端部をとばす等の手段で必要なところに延ばした救命索３を張設して救命作業に寄与することがが出来るものである。
【００１１】
又、救命索３の巻取りを行う救命索巻取り体１５と救命索巻取り体１５を介して巻き取った救命索３を収納する収納部９を内部に設けると共に外面に救命索３の終端部４を入れるポケット部１０を備えた救命索収納ケース８とを具備し、救命作業の終了後に張設した救命索３の巻取り操作を行う救命索巻取り体１５はアルミ等のさびない金属製の基台１２に間隙部ａを設けてプラスチック等の合成樹脂製の立設柱１，１の２本を並べて着脱自在に立設し、更に立設柱１，１の夫々に上下に昇降着脱できるように２本の塩化ビニール等の合成樹脂製の外筒２，２を外嵌し、又更に２本の外筒２，２の頭部１３，１３で相対した内面に傾斜滑面１４，１４を設けて形成したので救命索巻取り体１５は基台１２と２本の立設柱１，１と２本の外筒２，２とに分解して使用場所への携帯移動が容易であり、更に、移動場所で救命索巻取り体１５を組立てて救命索３の巻取り操作を行うと共に巻取った収納８の字状巻取り部１１の部分を救命索収納ケース８内に収納するので救命索３の再使用に際して救命索３がねじれることなく収納保管ができて再使用を支障なく行うことができるものである。
【００１２】
又、２本の外筒２，２の頭部１３，１３で相対した内面に傾斜滑面１４，１４を設けて形成したので巻取り時に救命索３が２本の外筒２，２の頭部１３，１３に当たり８の字状の巻取り操作を円滑迅速に行うことが出来ない等巻取り操作上に支障を来すことなく巻取り時に救命索３は傾斜滑面１４，１４に案内されて間隙部ａで８の字状を形成するようにすることが円滑迅速にできて巻取りに要する時間を短縮することができるものである。
【００１３】
又、基台１２はアルミ等のさびない金属製であるので川辺等の水分の多い地面上で使用するもさびることなく長期に使用に耐え、更に立設柱１，１はプラスチック等の合成樹脂製であると共に外筒２，２は塩化ビニール等の合成樹脂製であるので加工、整形が容易で安価に提供できるものである。
【００１４】
又、巻取り操作に際しては間隙部ａを設けて立設した合成樹脂製の立設柱１，１に合成樹脂製の外筒２，２を外嵌し、この２本の合成樹脂製の外筒２，２に８の字状に救命索３を緩く巻き付けて８の字状巻取り部６を形成すると共に８の字状巻取り部６を外筒２，２の下方より上方に亘り積み重ねて外筒２，２に巻き付けた重積８の字状巻取り部７を形成し、次に重積８の字状巻取り部７と共に２本の外筒２，２を持ち上げて立設柱１，１より２本の外筒２，２を同時に上方に抜き取る操作を行うものであるが立設柱１，１と外筒２，２とは共に合成樹脂製であるので立設柱１，１に対して外筒２，２は滑り易く上方に抜き取る操作を楽に行うことが出来るものである。
【００１５】
又、救命索収納ケース８には救命索３の非巻取り索部５を残して終端部４を設け、この終端部４を入れるポケット部１０を外面に設けているので救命索３の先端を飛ばして長く延ばす等の作業中に終端部４の取り出しが簡単迅速にできるものであり、この終端部４を適当な手段で適当な場所に固定しておくことにより救命索３の全体を飛ばして救命索３の張設に失敗するようなことがなく的確に作業を行うことができて救命索３の確実な使用ができるものである。
【００１６】
以上のようにこの発明は救命索巻取り体１５及び救命索収納ケース８を介しての救命索３の携帯が便利であり、更に組立てが簡単で、早期使用が可能であり、又簡易な構造で破損が少なく、格納保管がし易く、又更に操作が容易で故障等のトラブルが少なく、技術的に複雑な問題がなく、誰でも使用が可能であり、且つ又短時間で巻取りが可能であって使用上及び操作手段が極めて好都合である等幾多の産業的効果を奏するものである。
【図面の簡単な説明】
【図１】救命索巻取り体の斜視図である。
【図２】救命索巻取り体の一部を縦断切欠した正面図である。
【図３】救命索巻取り体の分解正面図である。
【図４】救命索巻取り体に救命索を巻き付けた状態を示した斜視図である。
【図５】重積８の字状巻取り部と共に２本の外筒を持ち上げて立設柱より上方に抜取る状態を示した斜視図である。
【図６】重積８の字状巻取り部を巻き付けた２本の外筒を立てた状態で救命索収納ケースの収納部内に入れた状態を示した斜視図である。
【図７】２本の外筒を上方に抜取り、救命索収納ケースの収納部内に収納８の字状巻取り部が収納される状態を示した斜視図である。
【図８】救命索収納ケースの収納部内に収納８の字状巻取り部が収納され後に更に救命索を巻き取る状態を示した斜視図である。
【符号の説明】
１  立設柱
２  外筒
３  救命索
４  終端部
５  非巻取り索部
６  ８の字状巻取り部
７  重積８の字状巻取り部
８  救命索収納ケース
９  収納部
１０  ポケット部
１１  収納８の字状巻取り部
１２  基台
１３  頭部
１４  傾斜滑面
１５  救命索巻取り体
１６  螺杆
１７  螺孔
ａ  間隙部
【図１】
0003590005.tif 000002
【図２】
0003590005.tif 000003
【図３】
0003590005.tif 000004
【図４】
0003590005.tif 000005
【図５】
0003590005.tif 000006
【図６】
0003590005.tif 000007
【図７】
0003590005.tif 000008
【図８】
0003590005.tif 000009